(57)【要約】【課題】本発明は、パネルの明室コントラスト（contrast）を向上させると共に、輝度を維持するプラズマディスプレイ装置を提供するためのものである。【解決手段】本発明は、フィルタ及びフィルタを用いたプラズマディスプレイ装置に関するものであって、フィルタは、ベース部と、ベース部上に形成されるパターン部を含む外光遮断シートとを備え、パターン部は、上段と下段のうち、幅が更に広い下段が凹んだ形態を有することを特徴とする。【選択図】図１
2008046644.tif 000002
【特許請求の範囲】
【請求項１】
プラズマディスプレイパネルと、
前記パネルの全面に形成されるフィルタとを含み、
前記フィルタは、ベース部と、前記ベース部上に形成される複数のパターン部を含む外光遮断シートを備え、  
前記パターン部の上段より広い前記パターン部の下段は凹んだ形態で形成されることを特徴とするプラズマディスプレイ装置。
【請求項２】
前記パターン部の下段に形成された溝の深さは１．５μｍ乃至７μｍであることを特徴とする請求項１記載のプラズマディスプレイ装置。
【請求項３】
前記パターン部の下段に形成された溝の深さは２μｍ乃至５μｍであることを特徴とする請求項１記載のプラズマディスプレイ装置。
【請求項４】
前記パターン部の上段は前記パターン部の下段より前記ＰＤＰに更に隣接して位置することを特徴とする請求項１記載のプラズマディスプレイ装置。
【請求項５】
前記パターン部の下段の幅は、前記パターン部の下段に形成された溝の深さの３．６倍乃至１７．５倍であることを特徴とする請求項１記載のプラズマディスプレイ装置。
【請求項６】
前記パターン部の高さは、前記パターン部の下段に形成された溝の深さの１６倍乃至８５倍であることを特徴とする請求項１記載のプラズマディスプレイ装置。
【請求項７】
前記外光遮断シートの厚みは、前記パターン部の下段に形成された溝の深さの２０倍乃至９０倍であることを特徴とする請求項１記載のプラズマディスプレイ装置。
【請求項８】
前記パターン部の屈折率は、前記ベース部の屈折率の０．３倍以上１倍未満であることを特徴とする請求項１記載のプラズマディスプレイ装置。
【請求項９】
前記パターン部の屈折率は、前記ベース部の屈折率より０．０５乃至０．３大きいことを特徴とする請求項１記載のプラズマディスプレイ装置。
【請求項１０】
前記外光遮断シートの厚みは、前記パターン部の高さの１．０１倍乃至２．２５倍であることを特徴とする請求項１記載のプラズマディスプレイ装置。
【請求項１１】
一対の隣接したパターン部の下段間の間隔は、前記パターン部の下段幅の１．１倍乃至５倍であることを特徴とする請求項１記載のプラズマディスプレイ装置。
【請求項１２】
前記パターン部の高さは、互いに隣接した前記パターン部の下段間の間隔の０．８９倍乃至４．２５倍であることを特徴とする請求項１記載のプラズマディスプレイ装置。
【請求項１３】
ベース部と、
前記ベース部の溝に形成される複数のパターン部を備え、
前記パターン部の上段より広い前記パターン部の下段は凹んだ形態で形成されることを特徴とするフィルタ。
【請求項１４】
前記パターン部の下段に形成された溝の深さは１．５μｍ乃至７μｍであることを特徴とする請求項１３記載のフィルタ。
【請求項１５】
前記パターン部の下段の幅は前記パターン部の下段に形成された溝の深さの３．６倍乃至１７．５倍であることを特徴とする請求項１３記載のフィルタ。
【請求項１６】
前記パターン部の高さは、前記パターン部の下段に形成された溝の深さの１６倍乃至８５倍であることを特徴とする請求項１３記載のフィルタ。
【請求項１７】
前記外光遮断シートの厚みは、前記パターン部の下段に形成された溝の深さの２０倍乃至９０倍であることを特徴とする請求項１３記載のフィルタ。
【請求項１８】
前記パターン部の屈折率は、前記ベース部の屈折率の０．３倍以上１倍未満であることを特徴とする請求項１３記載のフィルタ。
【請求項１９】
前記パターン部の屈折率は、前記ベース部の屈折率より０．０５乃至０．３大きいことを特徴とする請求項１３記載のフィルタ。
【請求項２０】
前記外光遮断シートの厚みは、前記パターン部の高さの１．０１倍乃至２．２５倍であることを特徴とする請求項１３記載のフィルタ。
【発明の詳細な説明】
【技術分野】
【０００１】
本発明は、プラズマディスプレイ装置に関し、特にパネルの外部から入射する外光を遮断するために、外光遮断シートを製作してパネルの全面に貼り付けることで、パネルの明室コントラスト（contrast）を向上させると共に、輝度を維持するプラズマディスプレイ装置に関する。
【背景技術】
【０００２】
一般に、プラズマディスプレイパネル（Plasma Display Panel）は、放電空間に設けられた電極に所定の電圧を印加して放電を起こし、ガス放電時に発生するプラズマが蛍光体を励起させることによって、文字またはグラフィックを含む画像を表示する装置であって、大型化、軽量化、及び平面薄型化が容易であり、上下左右に広い視野角を提供し、フルカラー及び高輝度の具現が可能であるという長所がある。
【０００３】
このようなプラズマディスプレイパネルには、ブラック（Black）映像を具現する際に、パネルの下板に露出している白色系統の蛍光体によって外部光がパネルの全面で反射され、ブラック映像が明るい系列の暗い色と認知されることによりコントラストが低下するという問題点がある。
【発明の開示】
【発明が解決しようとする課題】
【０００４】
本発明の目的は、パネルの明室コントラストを向上させると共に、輝度を維持するプラズマディスプレイ装置を提供することにある。
【課題を解決するための手段】
【０００５】
本発明によるプラズマディスプレイ装置は、プラズマディスプレイパネルと、上記パネルの全面に形成されるフィルタとを含み、上記フィルタは、ベース部と、上記ベース部上に形成されるパターン部を含む外光遮断シートとを備え、上記パターン部は上段と下段のうち、幅が更に広い下段が凹んだ形態を有することを特徴とする。
【０００６】
また、本発明によるフィルタは、溝が形成されたベース部と、上記ベース部の溝に形成されるパターン部を含む外光遮断シートとを備え、上記パターン部の上段と下段のうち、幅が更に広い下段は凹んだ形態を有することを特徴とする。
【発明の効果】
【０００７】
上記のように構成される本発明によるフィルタ及びこのフィルタを用いたプラズマディスプレイ装置によれば、外部から入射する光を最大限に吸収し、遮断する外光遮断シートをディスプレイパネルの全面に配置することによって、ブラック映像を効果的に具現することができ、明室コントラストを改善することができる。また、外光遮断シートのパターン部の下段を中心部分が内部に引き込まれている凹んだ形態で形成することによって、フィルタの接着性を向上させることができ、ディスプレイ映像の散り現象を減少させて、映像の鮮明度を向上させることができる。
【発明を実施するための最良の形態】
【０００８】
以下、本発明の望ましい実施形態を図１乃至図２８を参照しつつ詳細に説明する。図１は、プラズマディスプレイパネルの構造に関する一実施形態を斜視図にて図示したものである。
【０００９】
図１に示すように、プラズマディスプレイパネルは、上部基板１０上に形成される維持電極対であるスキャン電極１１、サステイン電極１２、及び下部基板２０上に形成されるアドレス電極２２を含む。
【００１０】
上記維持電極対１１、１２は、通常、インジウムチンオキサイド（Indium-Tin-Oxide：ＩＴＯ）で形成された透明電極１１ａ、１２ａとバス電極１１ｂ、１２ｂを含み、バス電極１１ｂ、１２ｂは、銀（Ａｇ）、クロム（Ｃｒ）などの金属、またはクロム／銅／クロム（Ｃｒ／Ｃｕ／Ｃｒ）の積層型や、クロム／アルミニウム／クロム（Ｃｒ／Ａｌ／Ｃｒ）の積層型で形成することができる。バス電極１１ｂ、１２ｂは、透明電極１１ａ、１２ａ上に形成されて、抵抗の高い透明電極１１ａ、１２ａによる電圧降下を低減する役割を果たす。
【００１１】
一方、本発明の一実施形態によれば、維持電極対１１、１２は、透明電極１１ａ、１２ａとバス電極１１ｂ、１２ｂが積層された構造のみならず、透明電極１１ａ、１２ａなしにバス電極１１ｂ、１２ｂだけで構成してもよい。このような構造は、透明電極１１ａ、１２ａを使用しないので、パネル製造のコストを低減することができるという長所がある。このような構造に使用されるバス電極１１ｂ、１２ｂとして、上記の材料以外に感光性材料等、多様な材料を使用してもよい。
【００１２】
スキャン電極１１及びサステイン電極１２の透明電極１１ａ、１２ａとバス電極１１ｂ、１１ｃとの間には、上部基板１０の外部で発生する外部光を吸収して反射を低減する光遮断機能と上部基板１０のピュリティ（Purity）及びコントラストを向上させる機能を果たすブラックマトリックス（Black Matrix：ＢＭ）１５を配列してもよい。
【００１３】
本発明の一実施形態によるブラックマトリックス１５は上部基板１０に形成されるが、隔壁２１と重畳する位置に形成される第１ブラックマトリックス１５と、透明電極１１ａ、１２ａとバス電極１１ｂ、１２ｂとの間に形成される第２ブラックマトリックス１１ｃ、１２ｃとで構成してもよい。ここで、第１ブラックマトリックス１５とブラック層、または第２ブラックマトリックス１１ｃ、１２ｃ（ブラック電極層と称す場合もある）を形成過程で同時に形成し、物理的に連結してもよく、同時に形成せずに、物理的に連結しなくてもよい。
【００１４】
また、物理的に連結して形成する場合、第１ブラックマトリックス１５と第２ブラックマトリックス１１ｃ、１２ｃを同一材質で形成するが、物理的に分離して形成する場合には、異なる材質で形成してもよい。
【００１５】
バス電極１１ｂ、１２ｂまたは隔壁２１が暗い色を有することによって、上記ブラックマトリックスのように外部で発生する外部光を吸収して反射を低減する光遮断機能と、コントラスト向上機能とを果たすことができる。
【００１６】
スキャン電極１１とサステイン電極１２が並んで形成された上部基板１０には、上部誘電体層１３と保護膜１４が積層される。上部誘電体層１３には放電により発生した荷電粒子が蓄積され、維持電極対１１、１２を保護する機能を遂行する。保護膜１４は、ガス放電時に発生された荷電粒子等のスパッタリングから上部誘電体層１３を保護し、２次電子の放出効率を上げる。
【００１７】
また、アドレス電極２２は、スキャン電極１１及びサステイン電極１２と交差する方向に形成される。また、アドレス電極２２が形成された下部基板２０上には下部誘電体層２４と隔壁２１が形成される。
【００１８】
また、下部誘電体層２４と隔壁２１の表面には蛍光体層２３が形成される。隔壁２１は縦隔壁２１ａと横隔壁２１ｂが閉鎖型で形成され、放電セルを物理的に区分し、放電により生成された紫外線と可視光が隣接した放電セルに漏洩することを防止する。
【００１９】
図１を参照すれば、本発明によるプラズマディスプレイパネルの全面にフィルタ１００を形成することが望ましく、フィルタ１００には外光遮断シート、反射防止（ＡＲ；Anti-Reflection）シート、近赤外線（ＮＩＲ；Near Infrared）遮蔽シート、電磁波（ＥＭＩ；ElectroMagnetic Interference）遮蔽シート、拡散シート、光特性シートなどを含んでもよい。
【００２０】
フィルタ１００と上記パネルとの間の間隔が１０μｍ乃至３０μｍである場合、外部から入射する光を効果的に遮断することができ、上記パネルで発生する光を外部に効果的に放出することができる。また、外部からの圧力などから上記パネルを保護するために、フィルタ１００と上記パネルとの間の間隔を３０μｍ乃至１２０μｍにしてもよく、衝撃防止のためにフィルタ１００と上記パネルとの間に衝撃吸収機能を有する粘着層を形成してもよい。
【００２１】
本発明の一実施形態には、図１に図示された隔壁２１の構造だけでなく、多様な形状の隔壁２１の構造を形成してもよい。例えば、縦隔壁２１ａと横隔壁２１ｂの高さが異なる種類の隔壁構造、縦隔壁２１ａまたは横隔壁２１ｂのうち少なくとも一つ以上に排気通路として使用可能なチャネル（Channel）が形成されたチャネル型隔壁構造、縦隔壁２１ａまたは横隔壁２１ｂのうち、一つ以上に溝（Hollow）が形成された溝型隔壁構造などを形成してもよい。
【００２２】
ここで、縦隔壁および横隔壁の高さが異なる隔壁構造の場合には、横隔壁２１ｂの高さが高い構造がより望ましく、チャネル型隔壁構造や溝型隔壁構造の場合には、横隔壁２１ｂにチャネルが形成されるか、溝が形成される構造が望ましい。
【００２３】
一方、本発明の一実施形態では、Ｒ、Ｇ及びＢ放電セルの各々が同一線上に配列されることが図示及び説明されているが、他の形状で配列してもよい。例えば、Ｒ、Ｇ及びＢ放電セルが三角形状で配列されるデルタ（Delta）タイプの配列で配列してもよい。また、放電セルの形状も、四角形状だけでなく、五角形、六角形などの多様な多角形状であってもよい。
【００２４】
また、蛍光体層２３は、ガス放電時に発生した紫外線により発光し、赤色（Ｒ）、緑色（Ｇ）、または青色（Ｂ）のうち何れか一つの可視光を発生する。ここで、上部／下部基板１０、２０と隔壁２１との間に設けられた放電空間には、放電のためのＨｅ＋Ｘｅ、Ｎｅ＋Ｘｅ、及びＨｅ＋Ｎｅ＋Ｘｅなどの不活性混合ガスが注入される。
【００２５】
図２は、本発明によるフィルタに備えられる外光遮断シート構造に関する一実施形態を断面図にて図示したものである。なお、外光遮断シートは、ベース部２００及びパターン部２１０を含んでなる。
【００２６】
ベース部２００は、光が円滑に透過するように、透明なプラスチック材質、例えば紫外線（ＵＶ）硬化方式により形成された樹脂（Resin）系列の物質からなることが望ましく、パネル全面の保護効果を高めるために、硬いガラス（Glass）材質を使用してもよい。
【００２７】
図２を参照すると、パターン部２１０の形状は三角形で形成されているが、それ以外の種々の形状を有してもよい。パターン部２１０は、ベース部２００より暗い色の物質で形成され、黒色の物質からなることが望ましい。例えば、パターン部２１０は、カーボン（carbon）系列の物質で形成するか、黒色の染料を塗布することにより、外光を吸収する効果を極大化することができる。以下では、パターン部２１０の上段と下段のうち、幅が更に広いものをパターン部２１０の下段と称す。
【００２８】
図２において、パターン部２１０の下段はパネル側に配置され、パターン部２１０の上段は外光が入射する観察者側に配置される。また、上記配置とは反対に、パターン部２１０の下段が観察者側に配置され、パターン部２１０の上段がパネル側に配置されてもよい。
【００２９】
外部光源はパネルの上側に位置することが一般的であるので、外光は上側から斜めにパネルに入射してパターン部２１０に吸収される。
【００３０】
パターン部２１０は光吸収粒子を含んでもよく、光吸収粒子は特定色で着色された樹脂粒子であってもよい。光吸収効果を最大化するために、光吸収粒子は黒色で着色されることが望ましい。
【００３１】
光吸収粒子の製造及びパターン部２１０の内部への添加が容易であり、外光を吸収する効果を最大化するために、光吸収粒子の大きさは１μｍ以上であればよい。また、光吸収粒子の大きさが１μｍ以上の場合、パターン部２１０に屈折する外光を効果的に吸収するために、パターン部２１０は光吸収粒子を１０重量％以上含めばよい。即ち、パターン部２１０の全体重量の１０％以上の重量の光吸収粒子がパターン部２１０に含まれる。
【００３２】
図３は外光遮断シートの構造による光特性を説明するために、外光遮断シートの構造に関する一実施形態を断面図にして図示したものである。
【００３３】
図３の場合、外光を吸収して遮断し、パネルから放出される可視光を全反射してパネル光の反射率を上げるために、パターン部２１０の屈折率、少なくともパターン部２１０の一部分である斜面の屈折率をベース部２００の屈折率より小さくした場合である。
【００３４】
前述したように、プラズマディスプレイパネルの明室コントラストを低下させる外光はパネルの上側に位置する場合が多い。図３を参照すると、スネル（snell）の法則により、外光遮断シートに斜めに入射される外光（破線で表示される）は、ベース部２００より小さな屈折率を有するパターン部２１０の内部に屈折して吸収される。パターン部２１０の内部に屈折する外光は光吸収粒子により吸収される。
【００３５】
また、ディスプレイのためにパネル２２０から外部に放出される光（実線で表示される）は、パターン部２１０の斜面で全反射されて観察者側である外部に反射されることになる。
【００３６】
前述したように、外光（破線で表示される）はパターン部２１０で屈折して吸収され、パネル２２０から放出される光（実線で表示される）はパターン部２１０で全反射される理由は、図３に示すように、パネル２２０光がパターン部２１０の斜面となす角より外光がパターン部２１０の斜面となす角が大きいということにある。
【００３７】
したがって、本発明による外光遮断シートは、外光が観察者側に反射しないように外光を吸収し、パネル２２０から放出される光の反射量を上げることによって、ディスプレイ映像の明室コントラストを向上させることができる。
【００３８】
パネル２２０に入射する外光の角度を考慮して、外光の吸収及びパネル２２０光の全反射を最大化するためには、パターン部２１０の屈折率は、ベース部２００の屈折率の０．３倍以上１倍未満であることが望ましい。パネル２２０から放出される光がパターン部２１０の斜面で全反射されることを最大化するために、プラズマディスプレイパネルの上下視野角を考慮すれば、パターン部２１０の屈折率がベース部２００の屈折率の０．３倍乃至０．８倍であることが望ましい。
【００３９】
前述したように、パターン部２１０の上段が観察者側に配置され、パターン部２１０の屈折率がベース部２００の屈折率より小さい場合には、パネルから放出される光がパターン部２１０の斜面で反射されて観察者側に広がるので、観察者側から見て、映像が鮮やかではなく、不明瞭に見えるゴースト（ghost）現象が発生する可能性がある。
【００４０】
パターン部２１０の屈折率をベース部２００の屈折率より大きくする場合、スネルの法則によって、パターン部２１０に入射する外光及びパネル光は全てパターン部２１０に吸収される。したがって、パターン部２１０の屈折率がベース部２００の屈折率より大きい場合、ゴースト現象を減少させることができる。パターン部２１０に斜めに入射するパネル光を十分に吸収してゴースト現象を防止するために、パターン部２１０の屈折率とベース部２００の屈折率の差は０．０５以上であることが望ましい。
【００４１】
パターン部２１０の屈折率をベース部２００の屈折率より大きくする場合、外光遮断シートの透過率及び明室コントラストを減少させることができるので、ゴースト現象を防止すると共に、外光遮断シートの透過率を大きく低下させないためには、パターン部２１０の屈折率とベース部２００の屈折率の差は０．０５乃至０．３であることが望ましい。また、ゴースト現象を防止すると共に、パネルの明室コントラストを適正水準に維持するためには、パターン部２１０の屈折率をベース部２００の屈折率の１．０倍乃至１．３倍にすることが望ましい。
【００４２】
図４は、本発明による外光遮断シートの製造方法の一実施形態を示す図である。
【００４３】
図４を参照すれば、（ａ）に示すように、ベース部３００を用意し、ベース部３００の上部に所定パターンを有するモールド（Mold）３１０を配置する。そして、モールド３１０に圧力を加えてベース部３００の上部にモールド３１０のパターンが形成されるようにする。すると、（ｂ）に示すように、ベース部３００に所定の深さで陥没した溝３２０が形成される。
【００４４】
以後、（ｃ）に示すように、溝３２０が形成されたベース部３００の上部に流動性を有する暗色材料３３０を塗布する。すると、暗色材料３３０がベース部３００の溝３２０に詰められてパターン部を形成する。ここで、流動性を有する暗色材料３３０は、ペースト（Paste）状態、またはスラリ（Slurry）状態であってもよい。例えば、暗色材料３３０は、炭素粒子、ソルベント（Solvent）などの有機溶媒、バインダ（Binder）などを混合することにより形成してもよい。
【００４５】
以後、ブレード（Blade）などを利用してベース部３００の表面から暗色材料３３０を取り除き、乾燥または焼成工程を経る。すると、ベース部３００の溝３２０に詰められた暗色材料３３０において有機溶媒などが蒸発し、これにより、（ｄ）に示すように、ベース部３００にパターン部３４０が形成される。即ち、ベース部３００には所定の深さで陥没した溝３２０が設けられ、パターン部３４０はベース部３００の溝３２０内に形成されるものである。
【００４６】
図５は、本発明によるフィルタに備えられる外光遮断シートの構造に関する第１実施形態を断面図にて図示したものである。外光遮断シートの厚み（Ｔ）が２０μｍ乃至２５０μｍである場合、製造工程が容易であり、適切な光透過率を有することができる。パネルから放出される光が円滑に透過するようにし、外部から入射する光が屈折してパターン部２１０に効果的に吸収及び遮断されるようにし、シートの堅固性を確保するために、外光遮断シートの厚み（Ｔ）は１００μｍ乃至１８０μｍで形成すればよい。
【００４７】
図５を参照すると、ベース部２００上に形成されるパターン部２１０は三角形の形態を有するが、二等辺三角形の形態を有することがより望ましい。また、パターン部２１０の下段幅（Ｐ１）は１８μｍ乃至３５μｍで形成してもよく、この場合、パネルから発生する光を円滑に使用者側に放出するための開口率を確保し、外光遮断効率を極大化することができる。
【００４８】
パターン部２１０の高さ（ｈ）は８０μｍ乃至１７０μｍで形成されるが、この場合、下段幅（Ｐ１）との関係で、外光の吸収及びパネル光の反射を効果的に行う斜面の傾きを形成することができ、パターン部２１０の短絡を防止することができる。
【００４９】
パネル光が使用者側に放出されて適正輝度のディスプレイ映像を表示するための開口率を確保し、外光遮断効果及びパネル光反射効率を増加させるための最適なパターン部２１０の斜面の傾きを確保するためには、互いに隣接した２つのパターン部間の間隔（Ｄ１）を４０μｍ乃至９０μｍで形成し、互いに隣接したパターン部の上段間の間隔（Ｄ２）を９０μｍ乃至１３０μｍで形成すればよい。
【００５０】
上記のような理由により、互いに隣接した２つのパターン部間の間隔（Ｄ１）がパターン部２１０下段幅の１．１倍乃至５倍である場合、ディスプレイのための開口率を確保することができる。また、開口率の確保と共に、外光遮断効果及びパネル光反射効率を最適化するためには、互いに隣接した２つのパターン部間の間隔（Ｄ１）がパターン部２１０の下段幅の１．５倍乃至３．５倍であればよい。
【００５１】
パターン部２１０の高さ（ｈ）が互いに隣接した２つのパターン部間の間隔（Ｄ１）の０．８９倍乃至４．２５倍の範囲を有する場合、上側から斜めに入射する外光がパネルに入射できないようにすることができる。また、パターン部２１０の短絡を防止し、パネル光の反射効率を最適化するために、パターン部２１０の高さ（ｈ）が互いに隣接した２つのパターン部間の間隔（Ｄ１）の１．５倍乃至３倍であればよい。
【００５２】
また、互いに隣接した２つのパターン部の上段間の間隔（Ｄ２）が互いに隣接した２つのパターン部の下段間の間隔（Ｄ１）の１倍乃至３．２５倍である場合、適正の輝度を有する映像のディスプレイのための開口率を確保することができる。また、パネル光がパターン部２１０の斜面で全反射される反射効率を最適化するためには、互いに隣接した２つのパターン部の上段間の間隔（Ｄ２）が互いに隣接した２つのパターン部の下段間の間隔（Ｄ１）の１．２倍乃至２．５倍であればよい。
【００５３】
図６は、本発明による外光遮断シートのパターン部の形状に対する第２実施形態を断面図にて図示したものである。
【００５４】
図６に示すように、パターン部４１０の下段４２０を内側に丸く凹んだ形態を有するように形成することによって、パネルから放出される光がパターン部４１０の下段４２０で反射されることによって発生する映像の散り現象を減少させることができ、外光遮断シートが他の機能性シートまたはパネルに貼り付けられる場合、接着部位の面積を増加させることによって、接着力を向上させることができる。
【００５５】
即ち、中心部分における高さが最外郭部分における高さより小さな値を有するようにパターン部４１０を形成することによって、凹んだ形態の下段４２０を含むパターン部４１０を形成することができる。
【００５６】
前述したように、パターン部４１０は、ベース部４００に形成された溝に光吸収物質などを詰めることにより形成されるが、上記ベース部４００に形成された溝のうち、一部分をパターン部４１０を構成する光吸収物質で充填し、残りの部分を空間として残してもよい。これにより、パターン部４１０の下段４２０の中の部分が内部に引き込まれている凹んだ形態を有することができる。
【００５７】
図７を参照すれば、図５に示すように、パターン部２１０の下段が平坦な場合、パネルから放出されてパターン部２１０の下段に斜めに入射される光をパネル方向に反射することができる。上記のように、パネル方向に反射されるパネル光により特定位置にディスプレイされるべき映像が上記特定位置の周辺にディスプレイされることで、ゴースト（ghost）現象のような映像が散る現象が発生し、ディスプレイ映像の鮮明度を低下させる。
【００５８】
図８を参照すれば、凹んだ形態を有するパターン部４１０の下段４２０に斜めに入射する光の入射角（θ２）は、図７に図示された平坦なパターン部２１０の下段に入射される入射角（θ１）より小さくなる。したがって、図７に図示された平坦なパターン部２１０の下段で反射されるパネル光が、図８に図示された凹んだ形態を有するパターン部４１０の下段４２０では、パターン部４１０の内部に吸収される。これにより、ディスプレイ映像の散り現象を減少させて映像の鮮明度を向上させることができる。
【００５９】
また、図９を説明すれば、（ａ）はパターン部５２０の下段が凹んだ形態を有する場合であり、（ｂ）はパターン部５５０の下段が平坦な場合である。
【００６０】
上記のような形態を有する外光遮断シートをパネルの基板やフィルタに含まれた他の機能層５００に貼付させるために、外光遮断シートと基板または機能層５００の間に接着層５３０、５６０を形成する。
【００６１】
（ａ）の場合、パターン部５２０の下段が凹んだ形態を有することによって、パターン部５２０と接着層５３０が接触する部分の面積が（ｂ）の場合より増加する。したがって、（ａ）の接着層５３０と（ｂ）の接着層５６０の厚みが同一の場合、（ａ）の場合は（ｂ）の場合より接着力を向上させることができる。また、（ａ）の接着層５３０の厚み（ｔ１０）を（ｂ）の接着層５６０の厚み（ｔ２０）より薄くしても、外光遮断シートと基板または機能層６００の間に同一な接着力を確保することができる。これにより、（ａ）のように、パターン部５２０の下段を凹んだ形態で形成することで、接着層の厚みを減少させて製造コストを低減させることができる。
【００６２】
図１０乃至図１９は、本発明による下段が凹んだ形態を有するパターン部形状に関する実施形態を断面図にて図示したものである。
【００６３】
図１０を参照すれば、前述したように、パターン部６０５の下段に溝を形成して凹んだ形態を有するように形成することによって、映像の散り現象を改善すると共に、外光遮断シートの接着力を向上させることができる。
【００６４】
下記の表１は、パターン部６０５の下段を凹んだ形態で形成することによって生じる溝の深さ（ａ）とパターン部６０５の下段幅（ｄ）に伴うディスプレイ映像の散り現象の減少の可否を実験した結果であって、下段が平坦なパターン部を有する外光遮断シートが配置されたプラズマディスプレイパネルに比べて、映像の散り現象が減少するか否かを実験した結果である。
【００６５】
【表１】
2008046644.tif 000003
【００６６】
表１に表すように、パターン部６０５の下段に形成された凹んだ溝の深さ（ａ）が１．５μｍ乃至７．０μｍである場合、ディスプレイ映像の散り現象を減少させて映像の鮮明度を向上させることができる。
【００６７】
パターン部６０５の下段に形成された溝の深さ（ａ）が７．５μｍ以上であれば、パターン部６０５と他の機能層または接着層の間にエアーギャップが形成される。パネルから放出される光はこのエアーギャップにより反射あるいは散乱する場合もある。したがって、ディスプレイ映像の散り現象が発生する可能性がある。
【００６８】
また、外部衝撃などによるパターン部６０５の破損防止及びパターン部６０５の形成工程の容易性を考慮すれば、パターン部６０５の下段に形成された溝の深さ（ａ）は２μｍ乃至５μｍであるものが望ましい。
【００６９】
図５を参照して説明したように、パターン部６１０の下段幅（ｄ）が１８μｍ乃至３５μｍである場合、パネル光放出のための開口率を確保し、外光遮断効率を極大化することができるので、パターン部６０５の下段幅（ｄ）はパターン部６０５の下段に形成された溝の深さ（ａ）の３．６倍乃至１７．５倍であるものが望ましい。
【００７０】
一方、パターン部６０５の高さ（ｃ）が８０μｍ乃至１７０μｍである場合、外光の吸収及びパネル光の反射を効果的に行う斜面の傾きを形成することができるので、パターン部６０５の高さ（ｃ）はパターン部６０５の下段に形成された溝の深さ（ａ）の１６倍乃至８５倍であるものが望ましい。
【００７１】
また、外光遮断シートの厚み（ｂ）が１００μｍ乃至１８０μｍである場合、パネル光の円滑な透過と外光の効果的な吸収及び遮断を達成することができ、シートの堅固性を確保できるので、外光遮断シートの厚み（ｂ）はパターン部６０５の下段に形成された溝の深さ（ａ）の２０倍乃至９０倍であるものが望ましい。
【００７２】
図１１を参照すれば、パターン部６１５は台形状を有する。この場合、上段の幅（ｅ）が下段の幅（ｄ）より小さく形成されることが望ましい。また、パターン部６１５の上段の幅（ｅ）は１０μｍ以下である場合、下段幅（ｄ）との関係で、外光の吸収及びパネル光の反射を効果的に行う斜面の傾きを形成することができる。この場合にも、パターン部６１５の下段に形成された溝の深さ（ａ）とパターン部６１５の下段幅（ｄ）との間の関係は、図１０を参照して説明したものと同一である。
【００７３】
図１２を参照すれば、パターン部６２５の上段隅部分６３０の形状は、所定の曲率を有する曲線形態である。また、図１２に図示していないが、パターン部６２５の左右斜面、または下段の両端隅部分が所定の曲率を有する曲線形態で形成されてもよい。この場合にも、パターン部６２５の下段に形成された溝の深さ（ａ）とパターン部６２５の下段幅（ｄ）との間の関係は、図１０を参照して説明したものと同一である。
【００７４】
図１３を参照すれば、パターン部６４０は、左右非対称形状で形成される。即ち、パターン部６４０の左右斜面の面積を相異にするように形成してもよく、左右斜面の各々が下段となす角が互いに相異するように形成してもよい。一般的に、外光を発生させる物体はパネルの上側に位置するので、外光は一定の角度範囲内でパネルの上側からパネルに入射する。したがって、外光吸収効果を増加させて、パネルから放出される光の反射率を増加させるために、パターン部６４０の２つの斜面のうち、外光が入射される斜面の傾きを他の斜面の傾きより緩やかに形成してもよい。この場合にも、パターン部６４０の下段に形成された溝の深さ（ａ）とパターン部６４０の下段幅（ｄ）との間の関係は、図１０を参照して説明したものと同一である。
【００７５】
また、パターン部の斜面の傾斜角を一定に形成しなくてもよい。即ち、図１４に示すように、パターン部６５０の斜面の傾斜角が上段方向に行くほど緩やかに形成してもよく、反対に、図１５に示すように、パターン部６６０の斜面の傾斜角が上段方向に行くほど急激になるように形成してもよい。
【００７６】
図１４及び図１５では、パターン部６５０、６６０の斜面の傾斜角が中間地点（ａ）で変化することを例として説明しているが、パターン部の斜面の傾斜角は３つ以上の値を有してもよく、パターン部の斜面が凹状または凸状の曲面形態を有してもよい。
【００７７】
図１６乃至図１９に示すように、パターン部の下段に形成された凹んだ溝は、種々の形状を有することができる。図１６を参照すれば、パターン部６７０の下段に台形に凹んだ溝が形成されてもよい。
【００７８】
また、図１７に示すように、パターン部６８０の下段に四角形の溝が形成されてもよく、図１８に示すように、パターン部６９０の下段に三角形の溝が形成されてもよい。
【００７９】
パターン部の下段に形成された凹んだ溝の形状は、上記図１０乃至図１９に図示された形状に制限されるものではなく、それ以外に、パネルの基板またはフィルタの他の機能層と接触する部位の面積を増加させ、映像の散り現象を減少させることが可能な種々の形状を有してもよい。
【００８０】
図１９を参照すれば、ベース部７００の下段に凹んだ形態の溝７３０を形成してもよい。ベース部７００の下段にパターン部７１０に形成された溝７２０と同一方向の溝７３０を形成することによって、パネルの基板またはフィルタの他の機能層との接触部位の面積を一層増加させて外光遮断シートの接着力を一層向上させることができる。
【００８１】
ベース部７００の溝７２０にパターン部７１０を形成する暗色材料を充填することによって開口率の低下を防止するために、ベース部７００の下段に形成される溝７２０の深さ（ｈ２０）は、パターン部７１０の下段に形成される溝７２０の深さ（ｈ１０）より小さいことが望ましい。
【００８２】
図２０は、凹んだ形態を有するパターン部８１０の下段を観察者側に配置したものである。
【００８３】
図２０を参照すれば、観察者側に配置されたパターン部８１０の下段を凹んだ形態にすることで、パターン部８１０の下段で吸収される外光の入射角の範囲を拡大させることができる。即ち、パターン部８１０の下段を凹んだ形態にする場合、外光のパターン部８１０の下段への入射角を大きくすることができ、これにより、外光吸収効果を向上させることができる。
【００８４】
外光遮断シートの堅固性を確保すると共に、画像を表示するためにパネルから放出される可視光の透過率を確保するために、本発明による外光遮断シートの厚み（Ｔ）は、１００μｍ乃至１８０μｍのものが望ましい。
【００８５】
外光遮断シートに備えられるパターン部の高さ（ｈ）が８０μｍ乃至１７０μｍである場合、上記パターン部の製造が最も容易であり、外光遮断シートの適切な開口率を確保することができ、外光遮断効果及びパネルから放出される光の反射効果を最大化することができる。
【００８６】
パターン部の高さ（ｈ）は、外光遮断シートの厚み（Ｔ）によって変更することができる。一般的に、パネルに入射して明室コントラストの低下に影響を与える外光は、主にパネルの位置より上側に位置することになる。したがって、一定範囲の入射角（θ）でネルに入射する外光を効果的に遮断するために、パターン部の高さ（ｈ）と外光遮断シートの厚み（Ｔ）の割合は、一定範囲内の値を有することが望ましい。
【００８７】
パターン部の高さ（ｈ）が増加するほどパターン部の上段部分のベース部の厚みが薄くなって絶縁破壊が発生する可能性がある。また、パターン部の高さ（ｈ）が減少するほど一定範囲内の角度を有する外光がパネルに入射して、外光を正しく遮断できない可能性がある。
【００８８】
下記の表２は、外光遮断シートの厚み（Ｔ）とパターン部の高さ（ｈ）によって外光遮断シートの絶縁破壊及び外光遮断効果を実験した結果である。
【００８９】
【表２】
2008046644.tif 000004
【００９０】
表２を参照すれば、外光遮断シートの厚み（Ｔ）が１２０μｍの場合、パターン部の高さ（ｈ）が１１５μｍ以上に形成されれば、パターン部が絶縁破壊される虞があるので、製品の不良率が増加する可能性がある。パターン部の高さ（ｈ）が１１５μｍ以下に形成されれば、パターン部が絶縁破壊される虞がないので、外光遮断シートの不良率を減少させることができる。しかしながら、パターン部の高さが８５μｍ以下に形成される場合には、パターン部により外部光が遮断される効率が減少する可能性がり、６０μｍ以下に形成される場合には、外光がパネルに入射する可能性がある。これにより、パターン部の高さ（ｈ）が９０μｍ乃至１１０μｍである時、外光遮断シートの外光遮断効率を増加させると共に、不良率を減少させることができる。
【００９１】
また、外光遮断シートの厚み（Ｔ）がパターン部高さ（ｈ）の１．０１倍乃至２．２５倍である場合、パターン部の上段部分の絶縁破壊を防止することができ、外光がパネルに入射されることを防止することができる。また、絶縁破壊及び外光のパネル入射を防止すると共に、パネルから放出される光の反射量を増加させ、視野角を確保するためには、外光遮断シートの厚み（Ｔ）がパターン部の高さ（ｈ）の１．０１倍乃至１．５倍であればよい。
【００９２】
下記の表３は、外光遮断シートのパターン部の下段幅とパネルの上部基板に形成されるバス電極の幅の割合によって、モアレ現象発生の可否及び外光遮断効果を実験した結果である。なお、この結果は、バス電極の幅が７０μｍの場合である。
【００９３】
【表３】
2008046644.tif 000005
【００９４】
表３を参照すれば、パターン部の下段幅がバス電極幅の０．２倍乃至０．５倍である場合、モアレ現象を減少させると共に、パネルに入射される外光を減少させることができる。また、モアレ現象を防止し、外光を効果的に遮断すると共に、パネル光の放出のための開口率を確保するためには、パターン部の下段幅がバス電極幅の０．２５倍乃至０．４倍であることが望ましい。
【００９５】
下記の表４は、外光遮断シートのパターン部の下段幅とパネルの下部基板に形成される縦隔壁の幅の割合によってモアレ現象発生の可否及び外光遮断効果を実験した結果である。なお、この結果は、縦隔壁の幅が５０μｍの場合である。
【００９６】
【表４】
2008046644.tif 000006
【００９７】
表４を参照すれば、パターン部の下段幅が縦隔壁の上段幅の０．３倍乃至０．８倍である場合、モアレ現象を減少させると共に、パネルに入射される外光を減少させることができる。また、モアレ現象を防止し、外光を効果的に遮断すると共に、パネル光の放出のための開口率を確保するためには、パターン部の下段幅が縦隔壁の上段幅の０．４倍乃至０．６５倍であることが望ましい。
【００９８】
図２１乃至図２４は、本発明による外光遮断シートの前面形状に関する実施形態を斜視図にて図示したものである。
【００９９】
外光遮断シートの前面形状は、図２１に示すように、パターン部９１０がベース部９００の長辺と平行した方向に並んで形成されるか、図２２に示すように、パターン部９３０がベース部９２０の長辺と所定角度（θ２）で斜めに形成されてもよい。
【０１００】
パターン部９３０とベース部９２０の長辺がなす角を１度乃至２０度にして、パターン部９３０を斜めに形成することによって、２つ以上の周期的なパターン（Periodic Pattern）が重なることによる干渉紋（Interference Fringe）の発生、即ちモアレ（Moire）現象を減少させることができる。
【０１０１】
また、図２３に示すように、パターン部の前面形状が互いに交差する方向に形成されてもよい。
【０１０２】
図２３を参照すれば、パターン部９４０はマトリックスタイプ（Matrix Type）で形成される。また、図２４に示すように、パターン部９７０は波タイプで形成されてもよい。
【０１０３】
図２５乃至図２８は、本発明によるフィルタの構造に関する実施形態を断面図にて図示したものであって、プラズマディスプレイパネルの全面に形成されるフィルタは、ＡＲ／ＮＩＲシート、ＥＭＩ遮蔽シート、外光遮断シート、光特性シートなどを含んでもよい。
【０１０４】
図２５及び図２６を参照すれば、ＡＲ／ＮＩＲシート１０１０は、透明なプラスチック材質からなるベースシート１０１３の前面に、外部から入射する光の反射を防止して、眩しさ現象を減少させる機能を有するＡＲ（Anti-Reflection）層１０１１が貼り付けられ、後面にはパネルから放射される近赤外線を遮蔽して、リモコンなどのように赤外線を利用して伝達される信号が正常に伝達されるようにするＮＩＲ（Near Infrared）遮蔽シート１０１２が貼り付けられる。
【０１０５】
ＥＭＩ遮蔽シート１０２０は、透明なプラスチック材質からなるベースシート１０２２の前面に電磁波（ＥＭＩ；Electromagnetic Interference）を遮蔽してパネルから放射されるＥＭＩが外部に放出されることを防止するＥＭＩ遮蔽シート１０２１が貼り付けられる。この際、一般的にはＥＭＩ遮蔽シート１０２１は、導電性を有する物質を利用してメッシュ（Mesh）構造で形成され、接地が円滑になされるようにするために、画像が表示されないＥＭＩ遮蔽シート１０２０の非有効表示領域に導電性物質が全体的に塗布される。
【０１０６】
一般的に、外部光源は室内でも外部でも観察者の頭上に存在する場合が一番多い。このような外部光を効果的に遮断して、プラズマディスプレイパネルのブラック映像を一層暗く表現できるようにする外光遮断シート１０３０が貼り付けられる。
【０１０７】
このようなＡＲ／ＮＩＲシート１０１０、ＥＭＩ遮蔽シート１０２０、外光遮断シート１０３０の間には粘着剤１０４０が層をなしており、各々のシート１０１０、１０２０、１０３０、及びフィルタ１０００がパネルの全面に確実に貼り付けられるようにする。また、各々のシート１０１０、１０２０、１０３０の間に含まれたベースシートの材質は、フィルタ１０００製作の容易性を考慮して、実質的に同一の材質を使用することが望ましい。
【０１０８】
また、図２５では、ＡＲ／ＮＩＲシート１０１０、ＥＭＩ遮蔽シート１０２０、外光遮断シート１０３０の順に積層されているが、図２６に示すように、ＡＲ／ＮＩＲシート１０１０、外光遮断シート１０３０、ＥＭＩ遮蔽シート１０２０の順に積層できるように、各シートの積層順序は当業者によって異なってもよい。また、図示されたシート１０１０、１０２０、１０３０のうち、少なくともいずれか一層を省略してもよい。
【０１０９】
図２７及び図２８を参照すれば、パネルの全面に形成されるフィルタ１１００は、 ＡＲ／ＮＩＲシート１１１０、ＥＭＩ遮蔽シート１１３０、及び外光遮断シート１１４０以外に、光特性シート１１２０を更に含んでもよい。光特性シート１１２０は、パネルから入射する光の色温度及び輝度特性を改善し、透明なプラスチック材質からなるベースシート１１２２の前面または後面に、所定の染料と粘着剤からなる光特性層１１２１が積層されることにより形成される。
【０１１０】
図２５乃至図２８に図示されたベースシートのうち、少なくとも一つのベースシートを省略してもよく、上記ベースシートのうち何れか一つはプラスチック材質ではない硬いガラス（Glass）を使用してパネルを保護する機能を向上させてもよい。上記ガラスは、パネルから所定間隔で離隔して形成することが望ましい。
【０１１１】
また、本発明によるフィルタは、拡散シートを更に含んでもよい。拡散シートは、光が均一の明るさを維持するように、入射する光を拡散させる役割を果たす。これにより、拡散シートは、パネルから放出される光を均一に拡散させて、ディスプレイ画面の上下視野角を広げて、外光遮断シートなどに形成されたパターンを隠蔽することができる。また、拡散シートは上下視野角に該当する方向に光を集光して正面輝度を均一にし、かつ、向上させることができ、また、帯電防止性を向上させることができる。
【０１１２】
拡散シートとしては、透過型または反射型拡散フィルムなどを使用することができ、一般的にポリマ（polymer）材料のベースシートに小さなガラス球粒が混合された形態を有してもよい。また、拡散シートのベースシートに高純度アクリル樹脂（ＰＭＭＡ）を利用してもよく、高純度アクリル樹脂（ＰＭＭＡ）を利用する場合、シートの厚みは厚くなるが、耐熱性に優れるので、発熱量の多い大型ディスプレイ装置に利用することができる。
【０１１３】
以上、本発明の望ましい実施形態に関して詳細に記述したが、本発明が属する技術分野で通常の知識を有する者であれば、特許請求範囲に定義された本発明の精神及び範囲を逸脱することなく、様々な変形及び変更が可能であることは明白である。したがって、本発明の今後の実施形態の変更は、本発明の技術から逸脱することができないものである。
【図面の簡単な説明】
【０１１４】
【図１】プラズマディスプレイパネルの構造に関する一実施形態を示す斜視図である。
【図２】本発明による外光遮断シートの構造を簡略に示す断面図である。
【図３】外光遮断シートの機能を説明するための断面図である。
【図４】本発明による外光遮断シートの製造方法に関する一実施形態を示す図である。
【図５】本発明による外光遮断シートの断面形状に関する実施形態を示す断面図である。
【図６】本発明による外光遮断シートの断面形状に関する実施形態を示す断面図である。
【図７】パターン部の下段が凹んだ形態を有する外光遮断シートの機能を説明するための断面図である。
【図８】パターン部の下段が凹んだ形態を有する外光遮断シートの機能を説明するための断面図である。
【図９】パターン部の下段が凹んだ形態を有する外光遮断シートの機能を説明するための断面図である。
【図１０】外光遮断シートの断面形状に関する他の実施形態を示す断面図である。
【図１１】外光遮断シートの断面形状に関する他の実施形態を示す断面図である。
【図１２】外光遮断シートの断面形状に関する他の実施形態を示す断面図である。
【図１３】外光遮断シートの断面形状に関する他の実施形態を示す断面図である。
【図１４】外光遮断シートの断面形状に関する他の実施形態を示す断面図である。
【図１５】外光遮断シートの断面形状に関する他の実施形態を示す断面図である。
【図１６】外光遮断シートの断面形状に関する他の実施形態を示す断面図である。
【図１７】外光遮断シートの断面形状に関する他の実施形態を示す断面図である。
【図１８】外光遮断シートの断面形状に関する他の実施形態を示す断面図である。
【図１９】外光遮断シートの断面形状に関する他の実施形態を示す断面図である。
【図２０】パターン部の下段が観察者側に配置される外光遮断シートの断面形状に関する一実施形態を示す断面図である。
【図２１】外光遮断シートの前面形状に関する実施形態を示す斜視図である。
【図２２】外光遮断シートの前面形状に関する実施形態を示す斜視図である。
【図２３】外光遮断シートの前面形状に関する実施形態を示す斜視図である。
【図２４】外光遮断シートの前面形状に関する実施形態を示す斜視図である。
【図２５】本発明によるフィルタの構造に関する実施形態を示す断面図である。
【図２６】本発明によるフィルタの構造に関する実施形態を示す断面図である。
【図２７】本発明によるフィルタの構造に関する実施形態を示す断面図である。
【図２８】本発明によるフィルタの構造に関する実施形態を示す断面図である。
【符号の説明】
【０１１５】
１０      上部基板
１１      スキャン電極
１２      サステイン電極
１３      上部誘電体層
１４      保護膜
１５      ブラックマトリックス
２０      下部基板
２１      隔壁
２２      アドレス電極
１００    フィルタ
２００    ベース部
２１０    パターン部
２２０    パネル
３００    ベース部
３１０    モールド  
３２０    溝
３４０    パターン部
４００    ベース部
４１０    パターン部
５２０    パターン部
５５０    パターン部
７００    ベース部
７１０    パターン部
８１０    パターン部
９００    ベース部
９１０    パターン部
９２０    ベース部
９３０    パターン部
９４０    パターン部
９７０    パターン部
１０００  フィルタ
【図１】
2008046644.tif 000007
【図２】
2008046644.tif 000008
【図３】
2008046644.tif 000009
【図４】
2008046644.tif 000010
【図５】
2008046644.tif 000011
【図６】
2008046644.tif 000012
【図７】
2008046644.tif 000013
【図８】
2008046644.tif 000014
【図９】
2008046644.tif 000015
【図１０】
2008046644.tif 000016
【図１１】
2008046644.tif 000017
【図１２】
2008046644.tif 000018
【図１３】
2008046644.tif 000019
【図１４】
2008046644.tif 000020
【図１５】
2008046644.tif 000021
【図１６】
2008046644.tif 000022
【図１７】
2008046644.tif 000023
【図１８】
2008046644.tif 000024
【図１９】
2008046644.tif 000025
【図２０】
2008046644.tif 000026
【図２１】
2008046644.tif 000027
【図２２】
2008046644.tif 000028
【図２３】
2008046644.tif 000029
【図２４】
2008046644.tif 000030
【図２５】
2008046644.tif 000031
【図２６】
2008046644.tif 000032
【図２７】
2008046644.tif 000033
【図２８】
2008046644.tif 000034